(57)【特許請求の範囲】
【請求項１】
遊技内容を制御する基板と、その基板を保護する箱状のカバーとからなる制御装置を裏面に設置した遊技機であって、
前記制御装置のカバーの上面に、前記裏面の左右方向での一端を始端として、他端側へ行くに従って低くなる第一傾斜面と、前記他端を始端として、前記一端側へ行くに従って低くなる第二傾斜面と、前記両傾斜面の終端が夫々合流し、前記裏面側を始端として前記裏面から離れるに従って低くなる落下面とからなり、前記カバー上に落下した遊技球を前記落下面へ導き、前記落下面の終端から下方に落下させる誘導路を形成したことを特徴とする遊技機。
【請求項２】
前記落下面と連結される終端を除く前記第一傾斜面と第二傾斜面との外周に、前記落下面以外からの前記遊技球の落下を防止する案内壁を立設したことを特徴とする請求項１に記載の遊技機。
【発明の詳細な説明】
【０００１】
【発明の属する技術分野】
本発明は、遊技内容を制御する基板と、その基板を保護する箱状のカバーとからなる制御装置を裏面に設置したパチンコ機等の遊技機に関する。
【０００２】
【従来の技術】
例えばパチンコ機等の裏面には、遊技内容を制御する基板と、その基板を保護する箱状のカバーとからなる制御装置が設置される一方、その制御装置の上方に、遊技球を貯留する遊技球タンクが設置されており、この遊技球タンクから、同じく裏面に設けられる遊技球払出装置を介して遊技機前面の受皿に遊技球を払出可能となっている。
又、遊技球タンクは、通常、上方を開放させた受皿形状となっているため、遊技球が偶発的に遊技球タンクからこぼれ落ち、遊技球タンクの下方に位置する制御装置のカバー上にそのまま残ってしまうことがあり、この場合、遊技球が、カバーの上方に露出する基板の接続端子やリード線等に接触して、回路をショートさせる虞れが生じる。そこで、特開平９−２０１４６４号公報には、図５に示す如く、パチンコ機３０に設置される制御装置３１のカバー３２の上面に、傾斜面３３等の遊技球誘導手段を設けて、上方の遊技球タンク３４からこぼれ落ちた遊技球３５を制御装置３１上に残さず、確実に下方へ落下させるようにした発明が開示されている。
【０００３】
【発明が解決しようとする課題】
しかし、上記発明においては、単純な傾斜面３３により、カバー３２に当接した遊技球３５の落下場所にばらつきが生じるため、落下場所によっては、制御装置３１の下部に設置される遊技球の発射装置等の他の構成部を損傷させたり、電気部材に接触してショートさせたりする虞れが別途生じてしまう。
【０００４】
そこで、請求項１に記載の発明は、裏面でこぼれ落ちた遊技球を制御装置上に残さないのは勿論、他の構成部においても遊技球によるショートや損傷等の不具合を生じさせない遊技機を提供することを目的としたものである。
【０００５】
【課題を解決するための手段】
上記目的を達成するために、請求項１に記載の発明は、前記制御装置のカバーの上面に、前記裏面の左右方向での一端を始端として、他端側へ行くに従って低くなる第一傾斜面と、前記他端を始端として、前記一端側へ行くに従って低くなる第二傾斜面と、前記両傾斜面の終端が夫々合流し、前記裏面側を始端として前記裏面から離れるに従って低くなる落下面とからなり、前記カバー上に落下した遊技球を前記落下面へ導き、前記落下面の終端から下方に落下させる誘導路を形成したことを特徴とするものである。
又、請求項２に記載の発明は、請求項１の目的に加えて、前記誘導路における落下面への誘導を適正且つ確実に行うために、前記落下面と連結される終端を除く前記第一傾斜面と第二傾斜面との外周に、前記落下面以外からの前記遊技球の落下を防止する案内壁を立設したものである。
【０００６】
【発明の実施の形態】
以下、本発明の実施の形態を図面に基づいて説明する。
《形態１》
図１は、遊技機の一例としてのパチンコ機１の背面図と側面図とを示したもので、正面の遊技盤２の後方に設けられた機構板３には、上方から、遊技球タンク４、遊技球払出装置５、制御装置６、入賞球検出装置７、遊技球発射装置８等が設置されており、制御装置６は遊技球タンク４の略真下に位置している。尚、９は機構板３に周設される機枠である。
遊技球タンク４は、図２にも示す如く、底面を傾斜させると共に、上方を開放させた皿形状を呈し、そこに貯留させた遊技球を、底面に連結した誘導樋４ａを介して遊技球払出装置５へ供給するもので、遊技球払出装置５は、制御装置６内に設けられ、遊技盤２に設置された図示しない電動遊技部材の作動制御を初めとして遊技内容を制御する基板１１の指示に従い、遊技球タンク４から供給される遊技球を所定数パチンコ機１前面の受皿１０へ払い出すものである。又、制御装置６は、基板１１がネジ止めされるベース１２と、接続端子等が設けられる上方を残して基板１１を覆うようにベース１２にネジ止めされる箱状のカバー１３とを有し、機構板３へは、ベース１２に固着した取付金具２１，２１を介してネジ止め設置を行っている。
そして、カバー１３の上面には、図１，２の左端を始端として、右へ行くに従って低くなる第一傾斜面１４と、逆に右端を始端として、左へ行くに従って低くなる第二傾斜面１５と、両傾斜面１４，１５の終端が夫々合流し、基板１１側を始端として基板１１側から離れるに従って低くなる落下面１６とからなる誘導路１７が形成されている。又、図１における側面図の横に示すカバー１３の断面説明図Ａ及び図２に示す如く、第一傾斜面１４と第二傾斜面１５の周囲には、落下面１６と連結される終端を除いて案内壁１８，１８が立設されている。尚、落下面１６は、垂直方向で、制御装置６の下方の遊技球発射装置８等の他の構成部の真上に位置しないように設定されるものである。
【０００７】
よって、上記の如く構成されたパチンコ機１においては、遊技球タンク４から偶発的にこぼれ落ちた遊技球１９がカバー１３上に落下すると、カバー１３上面のどの場所でも、第一傾斜面１４若しくは第二傾斜面１５によって落下面１６に導かれ、更に落下面１６では終端へ導かれて、矢印で順に示すように、遊技球１９は常に落下面１６の終端から落下する。このとき、第一，第二傾斜面１４，１５に周設された案内壁１８，１８によって、落下面１６以外からの落下が防止されると同時に、基板１１側に位置する案内壁１８により、誘導路１７を移動する遊技球１９が基板１１と接触するのも防止できる。そして、落下面１６から落下した下方には、電気部材のない機枠９が配されるのみであるから、ここに遊技球１９が落下しても、ショートや損傷等の不具合を生じさせる虞れはない。
このように上記形態によれば、誘導路１７により、カバー１３上に落下した遊技球１９を、その落下場所に拘わらず、所定位置（落下面１６終端）に導き、落下による影響のない機枠９上へ落下させることができる。従って、遊技球１９が制御装置６上に貯留するのを防ぎ、基板１１との接触により回路をショートさせる虞れを解消できると共に、制御装置６から落下させた遊技球１９が下方の構成部と接触してショートさせたり、損傷を与えたりする虞れも確実に防止可能となる。又、案内壁１８により、遊技球１９の確実な誘導と誘導中の基板１１への接触防止との両効果が得られる。
【０００８】
《形態２》
一方、誘導路は、他の構造でも実現できる。図３，４はその変更例を示すもので、上記形態１と同じ符号は同じ部材を示すため、説明を省略する。
ここでは、誘導路１７ａを、左端を始端とし、カバー１３全面が右端へ行くに従って下り坂となる連続傾斜面２０としており、案内壁１８は、右端の終端を除いて連続傾斜面２０の周囲に立設されている。よって、カバー１３上に落下した遊技球１９は、矢印で順に示すように、どの場所でも連続傾斜面２０によってその終端へ導かれ、その終端から機枠９上に落下する。
従って、この形態２においても、連続傾斜面２０によりカバー１３上に落下した遊技球１９を制御装置６上に貯留させず、遊技球１９の落下による影響のない場所に誘導して落下させる作用が得られ、制御装置６上での遊技球１９によるショート発生の防止は勿論、制御装置６の下方に落下させた遊技球１９による他の構成部でのショート発生や損傷等を好適に防止できる。又、案内壁１８による遊技球１９の確実な誘導と誘導中の基板１１への接触防止との両効果も維持できる。特にこの形態では、単純な連続傾斜面２０の形成のみで良いから、形態１に比べて構造が簡単で、低コストで済む。
【０００９】
尚、誘導路により遊技球を導く所定位置は、上記形態１，２の位置に限らず、制御装置６の下方の構成部によって左右されるため、下方の構成部の位置に合わせて適宜変更すれば良い。又、誘導路の具体的形状も、傾斜平面で形成する他、所定位置への誘導が可能な凹溝や傾斜曲面で形成することもでき、案内壁も、上記形態のように連続状でなく、誘導路からの遊技球の離脱が防止可能であれば、断続状に設けることもできる。更に、誘導路の形状のみで遊技球の確実な誘導が可能であれば、案内壁はなくしても差し支えない。
その他、制御装置の下方に、落下させた遊技球の受け皿等を設けて遊技球を回収する手段を採用しても良い。
【００１０】
【発明の効果】
請求項１に記載の発明によれば、第一、第二傾斜面と落下面とからなる誘導路により、カバー上に落下した遊技球を、その落下場所に拘わらず、落下による影響のない場所に対応する落下面に誘導し、そこから落下させることができる。従って、遊技球が制御装置上に貯留するのを防ぎ、基板との接触により回路をショートさせる虞れを解消できると共に、制御装置から落下した遊技球が他の構成部と接触してショートさせたり、損傷を与えたりする虞れも確実に防止可能となる。
請求項２に記載の発明によれば、請求項１の効果に加えて、案内壁により、落下面への遊技球の確実な誘導と、誘導中の基板への接触防止とが共に可能となる。
【図面の簡単な説明】
【図１】形態１のパチンコ機の裏面図及び側面図、カバーの断面説明図である。
【図２】形態１のパチンコ機を裏面からみた斜視図である。
【図３】形態２のパチンコ機の裏面図及び側面図、カバーの断面説明図である。
【図４】形態２のパチンコ機を裏面からみた斜視図である。
【図５】従来のパチンコ機を裏面からみた斜視図である。
【符号の説明】
１・・パチンコ機、２・・遊技盤、３・・機構板、４・・遊技球タンク、６・・制御装置、９・・機枠、１１・・基板、１２・・ベース、１３・・カバー、１４・・第一傾斜面、１５・・第二傾斜面、１６・・落下面、１７，１７ａ・・誘導路、１８・・案内壁、１９・・遊技球、２０・・連続傾斜面。
【図１】
0004140183.tif 000002
【図２】
0004140183.tif 000003
【図３】
0004140183.tif 000004
【図４】
0004140183.tif 000005
【図５】
0004140183.tif 000006